(57)【要約】【課題】容器に螺着又は螺脱するときに、締めトルク値又は開けトルク値が安定であり、密封性が良好な径歪み矯正リブ付キャップを提供する。【解決手段】周壁１２０　の内側の天板１１０　下面に、中心方向へ順にアウター封止リング１１１　、コンタクト封止リング１１２　、インナー封止リング１１３　を垂設するプラスチック製のキャップ１００　であって、アウター封止リングの外周面と周壁の上端部内周面とに接続する径歪み矯正リブ１０１　を、周方向へ等間隔で複数箇所に設ける。【選択図】図１
2004035066.tif 000002
【特許請求の範囲】
【請求項１】
周壁の内側の天板下面に、中心方向へ順にアウター封止リング、コンタクト封止リング、インナー封止リングを垂設するプラスチック製のキャップにおいて、前記アウター封止リングの外周面と前記周壁の上端部内周面とに接続する径歪み矯正リブを周方向へ等間隔で複数箇所に設けたことを特徴とする径歪み矯正リブ付キャップ。
【請求項２】
周壁の内側の天板下面に螺合筒が垂設し、該螺合筒の内側の天板下面に、中心方向へ順にアウター封止リング、コンタクト封止リング、インナー封止リングを垂設するプラスチック製のキャップにおいて、前記アウター封止リングの外周面と前記螺合筒の上端部内周面とに接続する径歪み矯正リブを周方向へ等間隔で複数箇所に設けたことを特徴とする径歪み矯正リブ付キャップ。
【発明の詳細な説明】
【０００１】
【発明の属する技術分野】
本発明は、食品、化粧品、トイレタリー、医薬品などの広口容器に螺合して使用する径歪み矯正リブ付キャップに関するものである。
【０００２】
【従来の技術】
従来、コーヒー、ミルク、佃煮、固形整髪料、軟膏などを収納する広口容器（２００）には、図５（ａ）及び（ｂ）に示すように、容器の口部（口頸部）（２１０）を良好に封止するために、天板（１１０）下面に中心方向へ順にアウター封止リング（１１１）（内周面を容器口部の先端部外周面に密接）、コンタクト封止リング（１１２）（下方先端を容器口部の天面に密接）、インナー封止リング（１１３）（外周面を容器口部の先端部内周面に密接）の３個の封止リングを垂設たキャップ（１００）を使用して、容器の口部を３個の封止リングで三重に封止していた。
【０００３】
【発明が解決しようとする課題】
ところで、上述した従来の３個の封止リングをもつキャップは、容器の口部に螺着するときに、まず容器の口部の先端部内周面にインナー封止リングの外周面が接触し、次にアウター封止リングの内周面が容器口部の先端部外周面に接触し、最後にコンタクト封止リングの先端が容器口部の天面に接触して螺着を完了する。しかしながら、従来のキャップは、容器の口部やキャップの封止リングの径歪みを矯正する機能がなく、キャップの螺着過程において、容器の口部やキャップの封止リングの径歪みにより、容器とキャップの密着度合いが変わるため、図６（ａ）に示すように、螺着方向回転角度に対する締めトルク値の曲線に、インナー封止リングの外周面の容器口部の先端部内周面との密着時（Ａ）と、アウター封止リングの内周面と容器口部の先端部外周面との密着時（Ｂ）とにピークが生じてうねりが見られ、指の感覚においても不連続感があり、密封性が損なわれることもあった。また、同様に、キャップの螺脱過程において、図６（ｂ）に示すように、螺脱方向回転角度に対する開けトルク値の曲線に、アウター封止リングの内周面と容器口部の先端部外周面との離脱時（Ｃ）と、インナー封止リングの外周面の容器口部の先端部内周面との離脱時（Ｄ）とにピークが生じてうねりがあり、指の感覚において不連続感があった。
【０００４】
本発明は、上述の従来の３個の封止リングをもつキャップの問題を解決したものであり、容器に螺着又は螺脱するときに、締めトルク値又は開けトルク値が安定であり、密封性が良好な径歪み矯正リブ付キャップを提供するものである。
【０００５】
【課題を解決するための手段】
すなわち、本発明の第１の発明は、周壁の内側の天板下面に、中心方向へ順にアウター封止リング、コンタクト封止リング、インナー封止リングを垂設するプラスチック製のキャップにおいて、前記アウター封止リングの外周面と前記周壁の上端部内周面とに接続する径歪み矯正リブを周方向へ等間隔で複数箇所に設けたことを特徴とする径歪み矯正リブ付キャップである。
【０００６】
そして、本発明の第２の発明は、周壁の内側の天板下面に螺合筒が垂設し、この螺合筒の内側の天板下面に、中心方向へ順にアウター封止リング、コンタクト封止リング、インナー封止リングを垂設するプラスチック製のキャップにおいて、前記アウター封止リングの外周面と前記螺合筒の上端部内周面とに接続する径歪み矯正リブを周方向へ等間隔で複数箇所に設けたことを特徴とする径歪み矯正リブ付キャップである。
【０００７】
【発明の実施の形態】
本発明の径歪み矯正リブ付キャップは、広口容器の口部に螺合により装着され、天板下面にアウター封止リング、コンタクト封止リング、インナー封止リングの３個の封止リングで、径歪み矯正リブの効果により、容器を良好に密封し、また、容器の口頸部との螺着時又は螺脱時の状態が安定している。このキャップは、ポリエチレン、ポリエチレンなどの熱可塑性樹脂を用いて、射出成形により１ピースで作製されるものである。
【０００８】
次に本発明の径歪み矯正リブ付キャップの実施の形態について、図を用いて詳細に説明する。
図１（ａ）は、本発明の一実施形態の径歪み矯正リブ付キャップを容器の口頸部に螺着したときの断面図であり、図１（ｂ）は、そのＡ−Ａ’断面図である。図２は、図１の径歪み矯正リブ付キャップを容器の口頸部に螺着したときの螺着過程を示すものであり、図２（ａ）は、キャップのインナー封止リングの外周面が容器の口頸部の先端部内周面に将に接触したときの状態を示す断面図であり、図２（ｂ）は、キャップのアウター封止リングの内周面が容器の口頸部の先端部外周面に将に接触したときの状態を示す断面図であり、図２（ｃ）は、コンタクト封止リングの先端が容器口部の天面に接触して螺着を完了したときの状態を示す断面図である。図３（ａ）は、図１の径歪み矯正リブ付キャップを容器の口頸部に螺着するときの螺着方向回転角度に対する開けトルク値の曲線であり、図３（ｂ）は、径歪み矯正リブ付キャップを容器の口頸部から螺脱するときの螺脱方向回転角度に対する開けトルク値の曲線である。図４（ａ）は、本発明の他の一実施形態の径歪み矯正リブ付キャップの断面図であり、図４（ｂ）は、そのＢ−Ｂ’断面図である。
【０００９】
本発明の一実施形態の径歪み矯正リブ付キャップ（１００）の構造は、図１（ａ）に示すように、周壁（１２０）の内周面に容器（２００）の雄ネジ（２１１）と螺合する雌ネジ（１２１）を設け、天板（１１０）の周壁の内側の下面に、中心方向へ順にアウター封止リング（１１１）、コンタクト封止リング（１１２）、インナー封止リング（１１３）を垂設し、アウター封止リングの外周面と周壁の上端部内周面とに接続する径歪み矯正リブ（１０１）を、図１（ｂ）に示すように、周方向へ等間隔で通常３０個所（１２°間隔）に設けるものである。
【００１０】
上述の本発明の径歪み矯正リブ付キャップを容器の口頸部に螺着するときは、まず、図２（ａ）に示すように、キャップ（１００）のインナー封止リング（１１３）の外周面が容器（２００）の口頸部（２１０）の先端部内周面に接触し、更にキャップが螺着方向へ回転されてインナー封止リングが容器の口頸部に押し込まれるにしたがって、インナー封止リングには上方開きのテーパーがついているため、キャップと容器の口頸部の中心が合わさるようになり、次に、図２（ｂ）に示すように、キャップ（１００）のアウター封止リング（１１１）の内周面が容器（２００）の口頸部（２１０）の先端部外周面に接触し、更にキャップが螺着方向へ回転されて、キャップのアウター封止リング内に容器の口頸部を押し込むにつれ、アウター封止リングの内周面には上方開きのテーパーがついているため、インナー封止リングである程度矯正されたキャップと容器の口頸部の中心合わせが、更に合わさるようになる。このとき、アウター封止リングの外周面と周壁の上端部内周面とに接続する径歪み矯正リブ（１０１）が設けられているため、キャップのアウター封止リングと容器の口頸部の中心合わせの矯正効果が増大する。そして、更にキャップが螺着方向へ回転されて、容器の口頸部をアウター封止リングとインナー封止リングの間に押し込むにつれて、アウター封止リングとインナー封止リングとによる容器の口頸部との密着度が増大し、容器の密封性が向上する。そして、図２（ｃ）に示すように、キャップ（１００）のコンタクト封止リング（１１２）の先端が容器（２００）の口頸部（２１０）の天面に接触して、キャップの容器の口頸部への螺着を完了する。従って、本発明の径歪み矯正リブ付キャップは、径歪み矯正リブの作用より、キャップのインナー封止リング及びアウター封止リングと容器の口頸部の径歪みを強力に矯正して、キャップと容器の口頸部の中心を合わせ、また、キャップのアウター封止リングとコンタクト封止リングとインナー封止リングの３個の封止リングが容器の口頸部の先端部を密封するため、容器の密封性が良好となる。
【００１１】
なお、発明者らは、キャップの螺着過程における螺着方向回転角度に対する締めトルク値の測定したところ、図３（ａ）に示すように、インナー封止リングのガイドがなくなる位置でアウター封止リングのガイドが効くため、インナー封止リング及びアウター封止リングと容器口部との密接時（Ｅ）に顕著なピークが生じることがなく、前述した従来のキャップの曲線のようなうねりがなかった。指の感覚でも不連続感がなく、パッキン入りキャップと同様にスムーズであり、螺着し易く、密封性が良好であった。また、図３（ｂ）に示すように、キャップの螺脱過程における螺脱方向回転角度に対する開けトルク値の曲線にも、アウター封止リング及びインナー封止リングと容器口部との離脱時（Ｆ）に顕著なピークが生じることがなく、従来のキャップの曲線のようなうねりがなく、指の感覚でも不連続感がなく、螺脱し易かった。
【００１２】
次に、本発明の他の一実施形態の径歪み矯正リブ付キャップ（１００）の構造は、図４（ａ）に示すように、天板（１１０）の周壁（１２０）の内側近傍に螺合筒（１３０）を垂設し、この螺合筒の内周面に容器の雄ネジとの螺合する雌ネジ（１３１）を設け、天板（１１０）の螺合筒（１３０）の内側の下面に、中心方向へ順にアウター封止リング（１１１）、コンタクト封止リング（１１２）、インナー封止リング（１１３）を垂設し、アウター封止リングの外周面と螺合筒の上端部内周面とに接続する径歪み矯正リブ（１０１）を、図４（ｂ）に示すように、周方向へ等間隔で通常３０個所（１２°間隔）に設けるものである。なお、通常では、螺合筒の上端部外周面と周壁の上端部内周面とに接続する径歪み矯正リブ（１０２）を、周方向へ等間隔で通常１０箇所（３６°間隔）に設けるものである。
【００１３】
【発明の効果】
本発明の径歪み矯正リブ付キャップは、広口容器に螺合して装着して使用するものであり、アウター封止リング、コンタクト封止リング、インナー封止リングの３個の封止リングをもち、アウター封止リングの外周面と周壁又は螺合筒の上端部内周面とに接続する径歪み矯正リブが設けてあるため、容器に螺着又は螺脱するときに、締めトルク値又は開けトルク値が安定しており、密封性が良好である。
【図面の簡単な説明】
【図１】（ａ）は、本発明の一実施形態の径歪み矯正リブ付キャップを容器の口頸部に螺着したときの断面図であり、（ｂ）は、そのＡ−Ａ’断面図である。
【図２】図１に示す径歪み矯正リブ付キャップを容器の口頸部に螺着したときの螺着過程を示すものであり、（ａ）は、キャップのインナー封止リングの外周面が容器の口頸部の先端部内周面に将に接触したときの状態を示す断面図であり、（ｂ）は、キャップのアウター封止リングの内周面が容器の口頸部の先端部外周面に将に接触したときの状態を示す断面図であり、（ｃ）は、コンタクト封止リングの先端が容器口部の天面に接触して螺着を完了したときの状態を示す断面図である。
【図３】（ａ）は、図１に示す径歪み矯正リブ付キャップを容器の口頸部に螺着するときの螺着方向回転角度に対する開けトルク値の曲線であり、（ｂ）は、径歪み矯正リブ付キャップを容器の口頸部から螺脱するときの螺脱方向回転角度に対する開けトルク値の曲線である。
【図４】（ａ）は、本発明の他の一実施形態の径歪み矯正リブ付キャップを容器の口頸部に螺着したときの断面図であり、（ｂ）は、そのＢ−Ｂ’断面図である。
【図５】（ａ）は、従来の一例の３個の封止リングをもつキャップを容器の口頸部に螺着したときの断面図であり、（ｂ）は、そのＣ−Ｃ’断面図である。
【図６】（ａ）は、図５に示す３個の封止リングをもつキャップを容器の口頸部に螺着するときの螺着方向回転角度に対する開けトルク値の曲線であり、（ｂ）は、３個の封止リングをもつキャップを容器の口頸部から螺脱するときの螺脱方向回転角度に対する開けトルク値の曲線である。
【符号の説明】
１００……キャップ
１０１，１０２……径歪み矯正リブ
１１０……天板
１１１……アウター封止リング
１１２……コンタクト封止リング
１１３……インナー封止リング
１２０……周壁
１２１，１３１……雌ネジ
１３０……螺合筒
２００……容器
２１０……口頸部
２１１……雄ネジ
【図１】
2004035066.tif 000003
【図２】
2004035066.tif 000004
【図３】
2004035066.tif 000005
【図４】
2004035066.tif 000006
【図５】
2004035066.tif 000007
【図６】
2004035066.tif 000008